(57)【特許請求の範囲】
【請求項１】
天板を含む楽器ケースと、
前記天板の下側に設けられている放音孔を含む放音部材と、
前記放音孔を含む放音部材の後側に位置する、発音放音孔が設けられている棚板と、
複数の鍵を含む鍵盤部と、
前記複数の鍵それぞれにアクション荷重を付与するアクション機構部と、
前記アクション機構部の上側かつ前記棚板の下側に、前記発音放音孔に対応して設けられている、前記棚板の上側に放音する発音部と、
を備え、
前記放音孔は、前記発音部が発する音を、前記発音放音孔を介して前記楽器ケースの前側に放出するための孔であることを特徴とする鍵盤楽器。
【請求項２】
請求項１に記載の鍵盤楽器において、
前記天板の後部側に設けられている開閉自在の放音蓋と、
を備え、
前記放音蓋は、前記放音蓋が開かれた際に、前記発音部が発する音を前記楽器ケースの前側に向けて反響させることを特徴とする鍵盤楽器。
【請求項３】
請求項１から請求項２のいずれかに記載の鍵盤楽器において、
前記鍵盤部を開閉可能に覆う鍵盤蓋と、
前記鍵盤部の後側にほぼ垂直に起立して設けられる仕切部材と、
前記仕切部材と前記天板との間の開放部と、
を備え、
前記鍵盤蓋は、前記鍵盤部が開かれた際に、前記放音孔の下側かつ前記仕切部材の前側に配置され、
前記発音部は、前記仕切部材の後方に配置され、
前記放音孔は、前記発音部が発する音を、前記開放部を介して前記楽器ケースの前側に放出するための孔であることを特徴とする鍵盤楽器。
【発明の詳細な説明】
【技術分野】
【０００１】
この発明は、電子鍵盤楽器などの鍵盤楽器に関する。
【背景技術】
【０００２】
例えば、電子鍵盤楽器においては、特許文献１に記載されているように、楽器ケース内に鍵盤部を前側上方に露出させて設け、この鍵盤部を開閉可能に覆う鍵盤蓋を楽器ケース内に引出可能に収納し、鍵盤部の後方に位置する楽器ケース内に発音部を設け、この発音部で発生した楽音を楽器ケースの前側に向けて放音するように構成されたものが知られている。
【先行技術文献】
【特許文献】
【０００３】
【特許文献１】特開２０１０−２８６６３３号公報
【０００４】
このような電子鍵盤楽器は、演奏する際に鍵盤蓋が楽器ケース内に収納されて発音部の上方を塞いでしまうため、鍵盤蓋に多数の小孔からなる放音部を設け、この放音部を通して、発音部で発生した楽音を楽器ケースの前側に向けて放音するように構成されている。また、この電子鍵盤楽器では、鍵盤部が楽器ケース内に配置された鍵盤シャーシと、この鍵盤シャーシ上に配列された複数の鍵と、を備え、これら複数の鍵盤の各隙間を通して、発音部で発生した楽音を楽器ケースの前側に向けて放音するように構成されている。
【発明の概要】
【発明が解決しようとする課題】
【０００５】
しかしながら、このような電子鍵盤楽器では、発音部で発生した楽音が、鍵盤蓋の放音部を通して、楽器ケースの前側に向けて放音されると共に、複数の鍵の各隙間を通して、楽器ケースの前側に向けて放音されるが、鍵盤蓋の放音部が鍵盤蓋に設けられた多数の小孔であるため、放音部の開口面積が小さく、また複数の鍵の各隙間が狭いため、発音部で発生した楽音を効率良く十分に放音することができないという問題がある。
【０００６】
この発明が解決しようとする課題は、楽音を効率良くかつ十分に放音することができる鍵盤楽器を提供することである。
【課題を解決するための手段】
【０００７】
この発明の一態様は、天板を含む楽器ケースと、前記天板の下側に設けられている放音孔を含む放音部材と、前記放音孔を含む放音部材の後側に位置する、発音放音孔が設けられている棚板と、複数の鍵を含む鍵盤部と、前記複数の鍵それぞれにアクション荷重を付与するアクション機構部と、前記アクション機構部の上側かつ前記棚板の下側に、前記発音放音孔に対応して設けられている、前記棚板の上側に放音する発音部と、を備え、前記放音孔は、前記発音部が発する音を、前記発音放音孔を介して前記楽器ケースの前側に放出するための孔であることを特徴とする鍵盤楽器である。
【発明の効果】
【０００８】
この発明によれば、放音孔から効率良く楽器ケースの前側に向けて放音させることができる。
【図面の簡単な説明】
【０００９】
【図１】この発明を電子鍵盤楽器に適用した一実施形態において、一部を破断して示した正面図である。
【図２】図１に示された電子鍵盤楽器のＡ−Ａ矢視における拡大断面図である。
【図３】図１に示された電子鍵盤楽器における放音部材の要部を一部破断して示した拡大斜視図である。
【発明を実施するための形態】
【００１０】
以下、図１〜図３を参照して、この発明を電子鍵盤楽器に適用した一実施形態について説明する。
この電子鍵盤楽器は、図１および図２に示すように、楽器ケース１を備えている。
【００１１】
この楽器ケース１は、図１および図２に示すように、底板２と、この底板２の前端部（図２では左端部）に起立して設けられた前板３と、底板２の後端部（図２では右端部）に起立して設けられた後板４と、底板２の両側部（図２は紙面の表裏面側）に起立して設けられた一対の側板５と、後板４の上端部および一対の側板５の上端部に設けられた天板６とを備えている。
【００１２】
この場合、前板３は、図１および図２に示すように、その高さが後板４の高さの半分以下の高さに形成されている。また、一対の側板５は、前部側（図２では左側）が前板３の高さよりも少し高く形成され、後部側（図２では右側）が後板４と同じ高さに形成されている。これにより、一対の側板５は、前部側と後部側との境界部がほぼ垂直な立ち上り部５ａに形成され、この立ち上り部５ａの下部から側板５の前端部に向けて前下がりに緩やかに傾斜する傾斜部５ｂが形成されている。
【００１３】
天板６は、図１および図２に示すように、一対の側板５における後部側（図２では右側）の各上端部と後板４の上端部とに亘って取り付けられている。これにより、楽器ケース１は、一対の側板５の前部側（図２では左側）に位置する個所が上側に開放されたほぼ箱形状に形成されている。この場合、天板６の前側上面には、譜面立て９が後方に少し傾いた状態で起立して設けられている。
【００１４】
一方、楽器ケース１内における前側部（図２では左側）には、図２に示すように、鍵盤部７が上方に露呈した状態で設けられている。この鍵盤部７は、楽器ケース１の底板２上に設けられた鍵盤シャーシ８と、この鍵盤シャーシ８上に並列に配列された複数の鍵１０と、を備えている。複数の鍵１０は、白鍵１０ａと黒鍵１０ｂとを有し、その各後端部が鍵盤シャーシ８上に上下方向に回転可能に取り付けられ、この状態で楽器ケース１の前側上方に露呈するように構成されている。
【００１５】
また、楽器ケース１内には、図２に示すように、鍵盤部７の複数の鍵１０にそれぞれアクション荷重を付与するアクション機構部１１が、鍵盤部７の後方に位置して設けられている。このアクション機構部１１は、鍵１０が押鍵された際に、その押鍵された鍵１０に対応するハンマー部材１１ａが回転することにより、押鍵された鍵１０それぞれにアクション荷重を付与するように構成されている。
【００１６】
すなわち、このアクション機構部１１は、図２に示すように、鍵１０にアクション荷重を付与することにより、アコースティックピアノの鍵タッチに近似した鍵タッチ感が得られるように構成されている。また、このアクション機構部１１は、ハンマー部材１１ａが回転して鍵１０にアクション荷重を付与した際に、スイッチ動作するスイッチ部１２を備えている。このスイッチ部１２は、そのスイッチ動作によって後述する発音部１３から楽音を発生させるための電気信号を出力するように構成されている。
【００１７】
また、この楽器ケース１内には、図２に示すように、鍵盤部７とアクション機構部１１との間を仕切る仕切部材１４が設けられている。この仕切部材１４は、鍵盤部７における複数の鍵１０の各後端部の上方に配置されたカバー板１４ａと、このカバー板１４ａの後端部上にほぼ垂直に起立して設けられた上前板１４ｂと、を有している。
【００１８】
この場合、カバー板１４ａは、図２に示すように、鍵盤部７の後部上側に位置した状態で、一対の側板５間に梁渡されている。また、上前板１４ｂは、天板６の前端部（図２では左端部）に位置する側板５の立ち上り部５ａから後部側（図２では右端部）に離れた位置に配置されている。この上前板１４ｂは、その上端部が天板６の下面から下側に離れた位置に配置されている。これにより、天板６の下面と上前板１４ｂの上端部との間には、開放部１４ｃが設けられている。
【００１９】
さらに、この楽器ケース１内には、図２に示すように、棚板１５が天板６の下側でかつアクション機構部１１の上方に位置する箇所に配置されている。この棚板１５は、上前板１４ｂの上端部と後板４との間に位置して設けられている。この棚板１５の前側下面における鍵１０の配列方向の両側には、図１および図２に示すように、発音部１３がそれぞれ上向きで取り付けられている。この場合、棚板１５には、発音放音孔１５ａが発音部１３に対応して設けられている。
【００２０】
ところで、この楽器ケース１には、図１および図２に示すように、鍵盤部７を開閉可能に覆うための鍵盤蓋開閉装置１６が設けられている。この鍵盤蓋開閉装置１６は、鍵盤部７を開閉可能に覆う鍵盤蓋１７を備えている。この鍵盤蓋１７は、鍵盤部７の前後方向における長さが互いに異なる前蓋１８と後蓋１９とを有し、これら前蓋１８と後蓋１９とが蝶番などの連結部材２０によって折り曲げ可能に連結された構成になっている。
【００２１】
すなわち、この鍵盤蓋１７は、前蓋１８と後蓋１９とが図２において連結部材２０を中心に回転してほぼ平板状に展開した状態で、鍵盤部７の上側に配置されることにより、前蓋１８が鍵盤部７の前部側を覆い、後蓋１９が鍵盤部７の後部側を覆うように構成されている。この場合、前蓋１８は、その前後方向の長さが後蓋１９の前後方向（図２では上下方向）の長さよりも長く形成されている。
【００２２】
また、この鍵盤蓋開閉装置１６は、図２に示すように、後蓋１９の後端部を楽器ケース１に回転可能に支持する回転支点部２１と、前蓋１８の前端部を鍵盤部７の前後方向にガイドするガイド部２２と、を備えている。回転支点部２１は、ヒンジ部であり、仕切部材１４の上前板１４ｂの下部に位置した状態で、一対の側板５間に梁渡された軸部２１ａと、後蓋１９の後端上部に設けられた筒状の軸受部２１ｂと、を備えている。
【００２３】
これにより、回転支点部２１は、図２に示すように、一対の側板５間に梁渡された軸部２１ａが後蓋１９の軸受部２１ｂに挿入され、この状態で軸部２１ａを中心に後蓋１９が上下方向に回転するように構成されている。また、この回転支点部２１は、前蓋１８と後蓋１９とが連結部材２０で折れ曲がって鍵盤蓋１７が鍵盤部７を開放した際に、鍵盤蓋１７を山折に折り曲げて前蓋１８を鍵盤部７の後部上方に起立させるように構成されている。
【００２４】
また、ガイド部２２は、図２に示すように、前蓋１８の前端下部に設けられたガイド突起部１８ａが挿入して鍵盤部７の前後方向にガイドする溝であり、楽器ケース１における一対の側板５の各内面に設けられている。すなわち、このガイド部２２は、鍵盤部７の前端部から立ち上がり、鍵盤部７の上側に沿って鍵盤部７の後部に亘って緩やかに湾曲した状態で設けられている。
【００２５】
これにより、鍵盤蓋１７は、前蓋１８と後蓋１９とが図２において連結部材２０を中心に回転してほぼ平板状に展開した状態で鍵盤部７の上側に配置された際に、前蓋１８が前下がりに少し傾斜した状態で、前蓋１８のガイド突起部１８ａがガイド部２２の前端部に位置して支持されると共に、後蓋１９がほぼ水平な状態で、後蓋１９の後端部が回転支点部２１によって支持されるように構成されている。
【００２６】
また、この鍵盤蓋１７は、図２に示すように、前蓋１８と後蓋１９とが連結部材２０を中心に折れ曲がって互いに接近した状態で、鍵盤部７を開放させた際に、前蓋１８のガイド突起部１８ａがガイド部２２の後端部に位置して前蓋１８がほぼ直立に起立した状態で支持されると共に、後蓋１９の後端部が回転支点部２１によって支持されて後蓋１９が起立するように構成されている。
【００２７】
この場合、鍵盤蓋１７は、図２に示すように、前蓋１８と後蓋１９とが連結部材２０を中心に山折に折れ曲がって起立した際に、後蓋１９が仕切部材１４の上前板１４ｂに接近した状態で、一対の側板５の立ち上り部５ａと仕切部材１４との間に配置されて収納されるように構成されている。すなわち、この鍵盤蓋１７は、山折に折れ曲がって起立した際に、その上端部が天板６の下面から下側に離れた仕切部材１４の上端部よりも少し低い高さになるように構成されている。
【００２８】
ところで、この楽器ケース１の前側上部には、図１〜図３に示すように、放音部材２４が設けられている。この放音部材２４は、枠形状に形成され、発音部１３で発生した音を楽器ケース１の前側に向けて放音する放音孔２３が、楽器ケース１の前後方向に開放されて設けられている。また、この放音部材２４は、鍵盤部７の後部上方に位置する楽器ケース１の天板６の前側下面に配置されている。
【００２９】
すなわち、この放音部材２４は、図１〜図３に示すように、複数の鍵１０の配列方向に沿う鍵盤部７の全長に亘って配置された肉厚の薄い枠状部２５と、この枠状部２５を補強する複数の補強部２６と、を有し、枠状部２５と複数の補強部２６とで囲われた領域に放音孔２３が楽器ケース１の前後方向に開放された状態で形成された構成になっている。
【００３０】
この場合、枠状部２５は、図１〜図３に示すように、厚みの薄い板（上板部２５ａ、下板部２５ｂ）によって枠状に構成されている。この枠状部２５は、その高さが天板６の下面と上前板１４ｂの上端面との間の開放部１４ｃの高さとほぼ同じ高さに形成されている。また、この枠状部２５は、その前後方向の長さが、仕切部材１４または仕切部材１４の上前板１４ｂの前面と一対の側板５の立ち上り部５ａとの間の長さよりも少し短い長さで形成されている。枠状部２５は、側板５の立ち上り部５ａより前方向に突出しないことが望ましい。つまり、側板５の上部の前後方向の長さに基づく。
【００３１】
複数の補強部２６は、図１および図３に示すように、枠状部２５内に設けられて枠状部２５を補強する角棒状のブロックであり、枠状部２５内の両端部、鍵１０の配列方向における枠状部２５の中間部、およびこの中間部と両端部との間に位置する各中間部にそれぞれ設けられている。
【００３２】
これら複数の補強部２６および枠状部２５には、図１および図３に示すように、ビス２７が挿入するビス挿入孔２８が上下に貫通して設けられている。このビス挿入孔２８の下部には、ビス２７の頭部２７ａが挿入する座ぐり部２８ａが設けられている。補強部２６は、枠状部２５と別体で形成されており、上板部２５ａの撓みを抑制するため、上板部２５ａ、下板部２５ｂの厚さより厚い部材である。
【００３３】
これにより、放音部材２４は、図１〜図３に示すように、天板６の下面と上前板１４ｂの上端面との間の開放部１４ｃに対応して、仕切部材１４の上前板１４ｂの前側に位置する天板６の前側下面に配置され、この状態でビス２７がビス挿入孔２８に下側から挿入されて天板６に螺着されることにより、天板６の下面に取り付けられるように構成されている。
【００３４】
この場合、放音部材２４は、図１〜図３に示すように、鍵盤蓋１７が山折に折れ曲がって、後蓋１９が仕切部材１４の上前板１４ｂに接近した状態で、一対の側板５の立ち上り部５ａと仕切部材１４との間に起立して配置された際に、鍵盤蓋１７の上端部が放音部材２４の下側に位置することにより、鍵盤蓋１７によって放音部材２４の放音孔２３が塞がれないように構成されている。
【００３５】
また、この放音部材２４の前面には、図１〜図３に示すように、ネット部材２９が設けられている。このネット部材２９は、発音部１３のネットとほぼ同じ布状のものであり、放音部材２４の放音孔２３を覆って放音部材２４の前面に取り付けられ、この状態で発音部１３が発生した音を通過させ、埃などの塵挨が通過しないように構成されている。この場合、ネット部材２９は、楽器ケース１の前面に露呈するため、装飾性を有していることが望ましい。
【００３６】
一方、天板６の後部側には、図２に示すように、放音蓋３０が開閉可能に設けられている。この放音蓋３０に対応する個所の天板６には、天板放音孔６ａが上下に貫通して設けられている。放音蓋３０は、その後端部が蝶番３０ａによって後板４の上端部に回転可能に取り付けられ、この蝶番３０ａを中心に上下方向に回転して天板放音孔６ａを開閉するように構成されている。
【００３７】
この場合、放音蓋３０は、図２に示すように、蝶番３０ａを中心に上方に向けて回転して天板放音孔６ａを開放した際に、蓋支持部材３１によって支持されるように構成されている。すなわち、この蓋支持部材３１は、楽器ケース１内の棚板１５の上面に設けられた支持規制部３２と、この支持規制部３２にスライド可能に設けられて放音蓋３０を支持する支持棒３３と、を備えている。
【００３８】
この支持棒３３は、図２に示すように、その上端部３３ａが放音蓋３０の前側下面に回転可能に取りけられ、下端部３３ｂが支持規制部３２にスライド可能に設けられた構成になっている。これにより、支持棒３３は、放音蓋３０が開かれる際に、下端部３３ｂが支持規制部３２に沿って前側に移動しながら徐々に起立し、放音蓋３０が開かれた際に、下端部３３ｂが支持規制部３２の前端部に当接して位置規制されることにより、天板放音孔６ａを開放した状態で放音蓋３０を支持するように構成されている。
【００３９】
また、この支持棒３３は、図２に示すように、放音蓋３０が閉じられる際に、下端部３３ｂが支持規制部３２に沿って後側に移動しながら徐々に横倒し、放音蓋３０が閉じられた際に、下端部３３ｂが支持規制部３２の後端部に位置して、楽器ケース１内に横倒して収納されることにより、放音蓋３０が閉じられて天板６の天板放音孔６ａを塞ぐように構成されている。
【００４０】
次に、この電子鍵盤楽器の作用について説明する。
この電子鍵盤楽器で演奏する場合には、まず、鍵盤蓋１７を開いて鍵盤部７を開放する。このときには、前蓋１８の前端下部に手を掛けて前蓋１８を押し上げながら鍵盤部７の後方に向けて押す。
【００４１】
すると、前蓋１８のガイド突起部１８ａがガイド部２２に沿って鍵盤部７の後部側に向けて移動を開始すると共に、後蓋１９の後端部が回転支点部２１を中心に図２において時計回りに回転を開始する。このときには、前蓋１８と後蓋１９とが連結部材２０を中心に回転して徐々に山折が高くなるように折れ曲がる。
【００４２】
そして、前蓋１８を更に鍵盤部７の後方に向けて押すと、前蓋１８の下面（図２では右側面）が後蓋１９の下面（図２では左側面）に対面して接近し、前蓋１８のガイド突起部１８ａがガイド部２２の後端部に位置した状態でほぼ直立に起立すると共に、後蓋１９の後端部が回転支点部２１を中心に更に時計回りに回転して起立する。
【００４３】
このときには、前蓋１８のガイド突起部１８ａがガイド部２２の後端部に支持されて、前蓋１８が鍵盤部７の後部上方にほぼ垂直な状態で起立する。これにより、前蓋１８の下面（図２では右側面）と後蓋１９の下面（図２では左側面）とが互いに対面して接近した状態で、鍵盤蓋１７が鍵盤部７の後端部上に山折に折り曲げられて起立し、鍵盤部７が開放される。
【００４４】
この状態では、鍵盤蓋１７が山折に折れ曲がって、後蓋１９が仕切部材の上前板１４ｂに接近した状態で、鍵盤蓋１７が一対の側板５の立ち上り部５ａと仕切部材１４との間に起立して配置されると共に、鍵盤蓋１７の上端部が放音部材２４の下側に位置して配置される。これにより、放音部材２４の放音孔２３が鍵盤蓋１７によって塞がれることがない。また、このときには、放音蓋３０を閉じて天板６の天板放音孔６ａを塞いでおく。
【００４５】
このように天板６の天板放音孔６ａが塞がれて、鍵盤部７が開放された状態では、鍵盤部７が楽器ケース１の上側に露出するので、この鍵盤部７の複数の鍵１０を押鍵操作して演奏することができる。この状態で、鍵１０を押鍵操作して演奏すると、アクション機構部１１のハンマー部材１１ａが回転して鍵１０にアクション荷重が付与される。また、このときには、アクション機構部１１のスイッチ部１２がスイッチ動作して電気信号を出力し、このスイッチ部１２からの電気信号に基づいて発音部１３が楽音を発生する。
【００４６】
このように発音部１３が楽音を発生すると、その楽音が棚板１５の発音放音孔１５ａから天板６の下側に放音される。このときには、天板６の天板放音孔６ａが放音蓋３０で塞がれているため、天板６と棚板１５との間に放音された楽音は、仕切部材１４の上前板１４ｂと天板６との間の開放部１４ｃを通して、放音部材２４の放音孔２３から楽器ケース１の前側に向けて放音される。これにより、演奏者が発音部１３で発生した楽音を良好に聴くことができる。
【００４７】
この場合、放音部材２４は、複数の鍵１０の配列方向に沿う鍵盤部７の全長に亘って配置された肉厚の薄い枠状部２５と、この枠状部２５を補強する複数の補強部２６と、を有し、枠状部２５と複数の補強部２６とで囲われた領域に放音孔２３が楽器ケース１の前後方向に開放されて形成された構成であるから、放音孔２３の放音面積が広く形成されている。このため、発音部１３で発生された楽音が効率良くかつ十分に楽器ケース１の前側に向けて放音される。
【００４８】
また、このときには、発音部１３が棚板１５の下面における前部側に設けられていることにより、発音部１３が放音部材２４に接近して配置されている。このため、発音部１３で発生された楽音が効率良く放音部材２４の放音孔２３に導かれて、放音部材２４の放音孔２３から良好に楽器ケース１の前側に向けて放音される。
【００４９】
ところで、発音部１３で発生された楽音の音質を変えたい場合には、天板６に設けられた放音蓋３０を開いて天板６の天板放音孔６ａを開放させれば良い。このときには、放音蓋３０の後端部に設けられた蝶番３０ａを中心に放音蓋３０を上方に向けて回転させると、支持棒３３の下端部３３ｂが支持規制部３２に沿って前側に移動しながら徐々に起立し、放音蓋３０が開いた際に、支持棒３３の下端部３３ｂが支持規制部３２の前端部に当接して位置規制される。
【００５０】
これにより、放音蓋３０が開いて天板放音孔６ａを開放させた状態で、放音蓋３０が支持棒３３によって支持される。この状態で、発音部１３で楽音が発生されると、その楽音が棚板１５の発音放音孔１５ａから天板６に向けて放音される。この放音された楽音は、その一部が放音部材２４の放音孔２３を通して楽器ケース１の前側に放音される。
【００５１】
また、他の一部の楽音は、天板６の天板放音孔６ａから楽器ケース１の上方に放音され、この放音された楽音が放音蓋３０で楽器ケース１の前側に向けて反響される。このように、発音部１３で発生された楽音が放音部材２４の放音孔２３と天板６の天板放音孔６ａとから楽器ケース１の外部に放音されることにより、発音部１３で発生された楽音の音質が変化し、この変化した音質の楽音を良好に聴くことができる。
【００５２】
このように、この鍵盤楽器によれば、鍵盤部７と、この鍵盤部７を収納するとともに、一対の側板５及び当該一対の側板５の上端部に取り付けられた天板６を少なくとも備える楽器ケース１と、発音部１３と、この発音部１３からの音を楽器ケース１の前側に放つ放音孔２３の周囲を囲む枠状部２５と、この枠状部２５は、放音孔２３の上下方向にそれぞれ位置する上板部２５ａ及び下板部２５ｂを有し、上板部２５ａ及び下板部２５ｂとの間に位置するとともに、当該枠状部２５と別体で形成され、上板部２５ａの撓みを抑制するために上板部２５ａを支える補強部２６と、を備えることにより、枠状部２５によって放音孔２３の開口面積を最大限に広くすることができ、これにより枠状部２５の放音孔２３によって楽音を効率良くかつ十分に楽器ケース１の前側に向けて放音させることができる。
【００５３】
この場合、枠状部２５の前後方向の長さは、側板５の前部の立ち上り部５ａと、鍵盤部７の後部上方に起立して設けられた上前板１４ｂの前面との間の長さに基づくことにより、枠状部２５の奥行き、つまり前後方向に長さを長くすることができ、これにより発音部１３で発生した楽音を楽器ケース１の前方に向けて放音する際に、楽音に指向性をもたせることができると共に、見栄えを良くすることができ、デザイン性の向上を図ることができる。
【００５４】
また、放音部材２４は、複数の鍵１０の配列方向に沿って配置された肉厚の薄い枠状部２５と、この枠状部２５を補強する補強部２６と、を有していることにより、肉厚の薄い枠状部２５によって放音孔２３の開口面積を最大限に広くすることができると共に、放音孔２３の開口面積を最大限に広くして枠状部２５の強度が低下しても、補強部２６によって枠状部２５の強度を確保することができ、これにより枠状部２５の剛性を高めることができる。
【００５５】
また、この放音部材２４は、その前面にネット部材２９が放音孔２３を覆って設けられていることにより、このネット部材２９を通して楽音を楽器ケース１の前側に放音することができると共に、ゴミなどの塵挨が楽器ケース１内に侵入するのを防ぐことができるほか、楽器ケース１の上部における前側下部に放音部材２４を設けても、この放音部材２４をネット部材２９で隠すことができるので、放音部材２４によって楽器ケース１の外観が損なわれることがないばかりか、ネット部材２９によって楽器ケース１のデザイン性を高めることができる。
【００５６】
さらに、この電子鍵盤楽器では、楽器ケース１内に発音部１３が放音部材２４の後方に位置して配置されていることにより、発音部１３で発生した楽音が楽器ケース１内に放音されても、その楽音を放音部材２４の放音孔２３から楽器ケース１の前側に確実にかつ良好に放音させることができる。
【００５７】
この場合、楽器ケース１は、その内部に棚板１５が天板６とアクション機構部１１との間に配置され、この棚板１５の下面における前部側に発音部１３が上向きに取り付けられているので、発音部１３を放音部材２４に接近させて配置することができる。このため、発音部１３で発生された楽音が天板６と棚板１５との間に放音されても、その楽音を効率良く放音部材２４の放音孔２３から楽器ケース１の前側に向けて放音させることができる。
【００５８】
また、この電子鍵盤楽器では、放音部材２４の下側に鍵盤部７の上側を開閉可能に覆う鍵盤蓋１７が、山折に折れ曲がって起立した状態で配置されることにより、鍵盤蓋１７を開いて鍵盤部７を露出させる際に、鍵盤蓋１７を楽器ケース１内に収納する必要がなく、鍵盤部７の後部側に位置する楽器ケース１の前部側に起立させた状態で、放音部材２４の放音孔２３を塞ぐことなく配置することができる。
【００５９】
すなわち、鍵盤蓋１７は、前蓋１８と後蓋１９とが連結部材２０によって折り曲げ可能に連結され、後蓋１９の後端部が回転支点部２１によって仕切部材１４に回転可能に取り付けられた構成であるから、連結部材２０によって前蓋１８と後蓋１９とを山折に折り曲げて起立させることができると共に、回転支点部２１によって後蓋１９を仕切部材１４に接近させて配置することができ、これにより鍵盤蓋１７をコンパクトに開くことができる。
【００６０】
この場合、鍵盤蓋１７は、前蓋１８と後蓋１９とを山折に折り曲げて起立させた際に、その上端部が放音部材２４の下側に配置される構成であるから、鍵盤蓋１７を開いて鍵盤部７を露出させた際に、鍵盤蓋１７が放音部材２４の放音孔２３を塞ぐことがないため、鍵盤蓋１７の影響を受けることなく、発音部１３で発生した楽音を放音部材２４の放音孔２３から楽器ケース１の前側に良好に放音させることができる。
【００６１】
さらに、この電子鍵盤楽器では、鍵盤部７の後方に位置する楽器ケース１内に、複数の鍵１０それぞれにアクション荷重を付与するアクション機構部１１が設けられていることにより、鍵盤部７の複数の鍵１０を押鍵操作して演奏する際に、アクション機構部１１によって押鍵された鍵１０それぞれにアクション荷重を付与することができ、これによりアコースティックピアノの鍵タッチに近似した鍵タッチ感を得ることができる。この場合、楽器ケース１内にアクション機構部１１を設けても、鍵盤蓋１７が楽器ケース１内に収納されることがないため、楽器全体をコンパクトに構成することができる。
【００６２】
なお、上述した実施形態では、放音部材２４の枠状部２５を鍵１０の配列方向に沿う鍵盤部７の全長に亘って配置した場合について述べたが、必ずしも枠状部２５を鍵１０の配列方向に沿う鍵盤部７の全長に亘って配置する必要はなく、放音孔２３の開口面積を十分に確保することができれば、枠状部２５を鍵１０の配列方向に沿う鍵盤部７の全長よりも短い長さで配置しても良い。
【００６３】
また、上述した実施形態では、補強部２６は、枠状部２５内の両端部、鍵１０の配列方向における枠状部２５の中間部、およびこの中間部と両端部との間に位置する各中間部にそれぞれ設けた場合について述べたが、これに限られず、枠状部２５内の両端部及び鍵１０の配列方向における枠状部２５の中間部に設けても良い。
【００６４】
また、上述した実施形態では、発音部１３を上向きに配置した場合について述べたが、必ずしも発音部１３は上向きに配置される必要はなく、下向きに配置しても良く、また前向きに配置しても、さらに後向きに配置しても良い。
【００６５】
また、上述した実施形態では、天板６に放音蓋３０を開閉可能に設けた場合について述べたが、必ずしも天板６に放音蓋３０を設ける必要はない。
【００６６】
さらに、上述した実施形態では、電子鍵盤楽器に適用した場合について述べたが、アコースティックタイプのアップライトピアノなどの鍵盤楽器にも適用することができる。
【００６７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６８】
（付記）
請求項１に記載の発明は、鍵盤部と、前記鍵盤部を収納するとともに、一対の側板及び当該一対の側板の上端部に取り付けられた天板を少なくとも備える楽器ケースと、発音部と、前記発音部からの音を前記楽器ケースの前側に放つ放音孔の周囲を囲む枠状部と、前記枠状部は、前記放音孔の上下方向にそれぞれ位置する上板部及び下板部を有し、前記上板部及び前記下板部との間に位置するとともに、当該枠状部と別体で形成され、前記上板部の撓みを抑制するために前記上板部を支える補強部と、を備えることを特徴とする鍵盤楽器である。
【００６９】
請求項２に記載の発明は、請求項１に記載の鍵盤楽器において、前記枠状部の前後方向の長さは、前記側板の前部の立ち上り部と、前記鍵盤部の後部上方に起立して設けられた上前板の前板との間の長さに基づくことを特徴とする鍵盤楽器である。
【００７０】
請求項３に記載の発明は、請求項１または請求項２に記載の鍵盤楽器において、前記枠状部の前面には、ネット部材が前記放音孔を覆って設けられていることを特徴とする鍵盤楽器である。
【００７１】
請求項４に記載の発明は、請求項１〜請求項３のいずれかに記載の鍵盤楽器において、前記放音部材の下側には、前記鍵盤部を開閉可能に覆う鍵盤蓋が、山折に折れ曲がって起立した状態で配置されることを特徴とする鍵盤楽器である。
【符号の説明】
【００７２】
１  楽器ケース
２  底板
３  前板
４  後板
５  側板
６  天板
７  鍵盤部
１０  鍵
１１  アクション機構部
１２  スイッチ部
１３  発音部
１４  仕切部材
１５  棚板
１７  鍵盤蓋
１８  前板
１９  後板
２０  連結部材
２１  回転支点部
２２  ガイド部
２３  放音孔
２４  放音部材
２５  枠状部
２６  補強部
２７  ビス
２８  ビス挿入孔
２９  ネット部材
３０  放音蓋
【図１】
0006409860.tif 000002
【図２】
0006409860.tif 000003
【図３】
0006409860.tif 000004